(57)【要約】【課題】引っ掛け部３０と繋ぎ部２０とが合成樹脂で一体成形された簡単な構成であるにもかかわらず、爪の持ち上げ力を好適なものにすることができる巻爪矯正具を提供する。【解決手段】巻爪矯正具の矯正具本体１０は、爪の先端部に引っ掛けられる一対の引っ掛け部３０と、各引っ掛け部３０同士を繋いで爪の表面に当接する板状の繋ぎ部２０と、を備えている。繋ぎ部２０のうち、爪幅方向における両端部のそれぞれを端板部２２とし、それ以外の部分を中央板部２１とする場合、引っ掛け部３０が端板部２２に設けられている。各引っ掛け部３０と繋ぎ部２０とは合成樹脂により一体成形されている。引っ掛け部３０の板厚は、中央板部２１の板厚よりも大きく形成されている。【選択図】      図６
2020054595.tif 000002
【特許請求の範囲】
【請求項１】
爪の先端部に引っ掛けられる複数の引っ掛け部と、
前記各引っ掛け部同士を繋いで前記爪の表面に当接する板状の繋ぎ部と、を備える巻爪矯正具において、
前記繋ぎ部のうち、爪幅方向における両端部のそれぞれを端板部とし、それ以外の部分を中央板部とする場合、前記引っ掛け部が前記端板部に設けられており、
前記各引っ掛け部と前記繋ぎ部とが合成樹脂により一体成形されており、
前記中央板部の板厚よりも前記引っ掛け部の板厚が大きく形成されていることを特徴とする巻爪矯正具。
【請求項２】
前記引っ掛け部は、
前記端板部の爪先端側から下方に延びる接続部と、
前記接続部の下端から爪基端側へ延び、前記端板部と所定間隔をおいて対向する爪係止部と、からなることを特徴とする請求項１に記載の巻爪矯正具。
【請求項３】
前記中央板部の爪先端側の縁が爪先端側に凸となる弧状とされていることを特徴とする請求項２に記載の巻爪矯正具。
【請求項４】
前記各爪係止部は、爪幅方向において中央寄りの爪基端側へ延びていることを特徴とする請求項２又は３に記載の巻爪矯正具。
【請求項５】
前記中央板部の板厚よりも前記端板部の板厚が大きく形成されていることを特徴とする請求項２〜４のいずれか１項に記載の巻爪矯正具。
【請求項６】
前記中央板部及び前記端板部それぞれにおける前記爪の表面に当接する面が段差なく繋がっていることを特徴とする請求項５に記載の巻爪矯正具。
【請求項７】
前記爪に固定するためのシート状のシールを備え、
前記繋ぎ部のうち、前記爪係止部側の面とは反対側の面が平坦面とされており、
前記シールは、
前記繋ぎ部の前記平坦面に貼り付けられたベース部と、
前記ベース部のうち爪幅方向において前記端板部に対応する部分から爪先端側に向かって前記ベース部に対してはみ出し、前記接続部の爪先端側の端部に貼り付けられる第１突出部と、
前記ベース部のうち爪幅方向において前記端板部に対応する部分から爪幅方向において前記ベース部に対してはみ出し、前記引っ掛け部の爪幅方向外側の端部に貼り付けられる第２突出部と、
前記ベース部から爪基端側に向かって延びる爪貼付部と、を有し、
前記第１突出部の爪先端側の端部と、前記第２突出部の爪幅方向の端部とが分離していることを特徴とする請求項２〜６のいずれか１項に記載の巻爪矯正具。
【発明の詳細な説明】
【技術分野】
【０００１】
本発明は、巻爪矯正具に関するものである。
【背景技術】
【０００２】
巻爪矯正具として、爪の先端に引っ掛けられるＵ字状に形成された一対の引っ掛け部と、一対の引っ掛け部同士を繋いで爪の表面に沿う板状の繋ぎ部とからなるものが知られている。引っ掛け部を爪の先端に引っ掛けて繋ぎ部を爪の表面に当接させると、繋ぎ部に曲げ変形が生じる。変形した繋ぎ部は元の形状に戻ろうとするため、繋ぎ部の弾力（復元力）が発生する。その結果、引っ掛け部により爪の先端を持ち上げようとする力が爪の先端に継続的に作用する。これにより、巻爪を矯正することができる。
【０００３】
巻爪矯正具としては、特許文献１に記載されているように、引っ掛け部と繋ぎ部とが別体で構成されているものがある。別体の構成では、引っ掛け部による爪の持ち上げ力を適正なものとするために、繋ぎ部は、例えば、形状記憶合金等の金属で形成されている。
【０００４】
また、巻爪矯正具としては、特許文献２に記載されているように、引っ掛け部と繋ぎ部とが合成樹脂により一体成形されたものも知られている。
【先行技術文献】
【特許文献】
【０００５】
【特許文献１】特開２０１６−４１２３４号公報
【特許文献２】特開２００８−１３６６３３号公報
【発明の概要】
【発明が解決しようとする課題】
【０００６】
特許文献１に記載の巻爪矯正具では、引っ掛け部と繋ぎ部とが別体で形成されているため、コストが高くなってしまう。一方、特許文献２に記載の巻爪矯正具では、引っ掛け部と繋ぎ部とが一体成形されているため簡単な構成となり、コストを低減できる。
【０００７】
一体成形された巻爪矯正具では、引っ掛け部を変形しにくくしようとすると、繋ぎ部が撓みにくくなり、引っ掛け部が巻爪を持ち上げる力が強くなりすぎてしまう。一方、繋ぎ部を撓みやすくすると、爪が持ち上げられる場合に引っ掛け部が変形しやすくなり、巻爪を引っ掛け部で持ち上げにくくなる。その結果、巻爪の矯正効果が低下するおそれがある。
【０００８】
本発明は、上記問題を解決するためになされたものであり、引っ掛け部と繋ぎ部とが一体成形された簡単な構成であるにもかかわらず、爪の持ち上げ力を好適なものにすることができる巻爪矯正具を提供することを目的とする。
【課題を解決するための手段】
【０００９】
第１の発明は、爪の先端部に引っ掛けられる複数の引っ掛け部と、前記各引っ掛け部同士を繋いで前記爪の表面に当接する板状の繋ぎ部と、を備える巻爪矯正具において、前記繋ぎ部のうち、爪幅方向における両端部のそれぞれを端板部とし、それ以外の部分を中央板部とする場合、前記引っ掛け部が前記端板部に設けられており、前記各引っ掛け部と前記繋ぎ部とが合成樹脂により一体成形されており、前記中央板部の板厚よりも前記引っ掛け部の板厚が大きく形成されていることを特徴とする。
【００１０】
第１の発明では、繋ぎ部を構成する中央板部の板厚よりも、引っ掛け部の板厚が大きく形成されている。これにより、引っ掛け部を変形しにくい構成としながらも、引っ掛け部と一体成形された中央板部の弾性を、爪の持ち上げ力が強くなりすぎない適切なものとすることができる。これにより、引っ掛け部と繋ぎ部とが一体成形された簡単な構成であるにもかかわらず、爪の持ち上げ力を好適なものにすることができる。
【００１１】
第２の発明では、前記引っ掛け部は、前記端板部の爪先端側から下方に延びる接続部と、前記接続部の下端から爪基端側へ延び、前記端板部と所定間隔をおいて対向する爪係止部と、からなることを特徴とする。
【００１２】
第２の発明では、爪の先端縁が接続部に当接した状態で爪係止部が爪の先端部に引っ掛けられることにより、巻爪矯正具が爪に取り付けられる。ここで、第２の発明では、接続部が、端板部の爪先端側から下方に延びる構成となっている。この構成によれば、接続部が、爪先端側に向かって端板部の爪先端側から延びる部分と、この部分の爪先端側から下方に延びる部分とからなる構成と比較して、接続部を変形しにくくすることができる。これにより、引っ掛け部による爪の持ち上げ力の低下を抑制することができる。
【００１３】
また、第２の発明では、接続部が端板部の爪先端側から下方に延びているため、巻爪矯正具が爪に取り付けられた状態において、接続部よりも爪基端側に繋ぎ部を位置させることができる。これにより、巻爪矯正具が爪に取り付けられた状態において、繋ぎ部が爪の先端縁からはみ出しにくくなり、繋ぎ部の爪先端側を爪の表面から浮きにくくすることができる。その結果、繋ぎ部を爪の表面にしっかりと当接させることができ、引っ掛け部による爪の持ち上げ力の低下を抑制することができる。
【００１４】
第３の発明では、前記中央板部の爪先端側の縁が爪先端側に凸となる弧状とされていることを特徴とする。
【００１５】
第３の発明によれば、中央板部の爪先端側を爪の表面から浮きにくくしつつ、中央板部の爪先端側の縁を、爪の先端縁の輪郭に近づけることができる。このため、例えば、巻爪矯正具本体をシールで爪に固定する場合において、中央板部の爪先端側の端部にシールをしっかりと貼り付けることができる。
【００１６】
第４の発明では、前記各爪係止部は、爪幅方向において中央寄りの爪基端側へ延びていることを特徴とする。
【００１７】
第４の発明によれば、爪係止部を、爪先端部の両端に合う形状とすることができる。これにより、爪の先端部に爪係止部をしっかりと引っ掛けることができ、巻爪の矯正効果を高めることができる。
【００１８】
第５の発明では、前記中央板部の板厚よりも前記端板部の板厚が大きく形成されていることを特徴とする。
【００１９】
第５の発明によれば、端板部と接続部との連結部分を強固にすることができ、接続部を変形しにくくすることができる。その結果、引っ掛け部による爪の持ち上げ力の低下を抑制することができる。
【００２０】
第６の発明では、前記中央板部及び前記端板部それぞれにおける前記爪の表面に当接する面が段差なく繋がっていることを特徴とする。
【００２１】
第６の発明では、中央板部及び端板部それぞれにおける爪の表面に当接する面が段差なく繋がっている。このため、繋ぎ部の爪の表面に当接する面を爪の表面に近い形状にすることができ、繋ぎ部を爪の表面に安定して当接させることができる。
【００２２】
第７の発明では、前記爪に固定するためのシート状のシールを備え、前記繋ぎ部のうち、前記爪係止部側の面とは反対側の面が平坦面とされており、前記シールは、前記繋ぎ部の前記平坦面に貼り付けられたベース部と、前記ベース部のうち爪幅方向において前記端板部に対応する部分から爪先端側に向かって前記ベース部に対してはみ出し、前記接続部の爪先端側の端部に貼り付けられる第１突出部と、前記ベース部のうち爪幅方向において前記端板部に対応する部分から爪幅方向において前記ベース部に対してはみ出し、前記引っ掛け部の爪幅方向外側の端部に貼り付けられる第２突出部と、前記ベース部から爪基端側に向かって前記ベース部から延びる爪貼付部と、を有し、前記第１突出部の爪先端側の端部と、前記第２突出部の爪幅方向の端部とが分離していることを特徴とする。
【００２３】
第７の発明では、繋ぎ部のうち、爪係止部側の面とは反対側の平坦面にシールのベース部が貼り付けられている。爪係止部が爪の先端部に引っ掛けられた状態において、第１突出部が爪先端側へ折り込まれることにより、接続部の爪先端側の端部に第１突出部が貼り付けられる。また、爪係止部が爪の先端部に引っ掛けられた状態において、第２突出部が爪幅方向側へ折り込まれることにより、引っ掛け部の爪幅方向外側の端部に第２突出部が貼り付けられる。また、爪貼付部が爪の表面に貼り付けられる。これにより、繋ぎ部及び引っ掛け部からなる巻爪矯正具本体を爪から外れにくくすることができる。
【００２４】
ここで、第７の発明では、第１突出部の爪先端側の端部と、第２突出部の爪幅方向の端部とが分離している。このため、第１，第２突出部が折り込まれる場合において、第１，第２突出部が重なりにくくなる。これにより、巻爪矯正具が取り付けられた指の隣りの指に、第１，第２突出部の重なり部分が干渉しにくくなり、巻爪矯正具本体をシールで爪に固定した場合に違和感が発生することを抑制できる。
【図面の簡単な説明】
【００２５】
【図１】巻爪矯正具の正面図。
【図２】巻爪矯正具の側面図。
【図３】巻爪矯正具の背面図。
【図４】巻爪矯正具の平面図。
【図５】巻爪矯正具の底面図。
【図６】巻爪矯正具の斜視図。
【図７】基材シートに貼り付けられたシールを示す図。
【図８】シールが貼り付けられた状態の巻爪矯正具本体の斜視図。
【図９】巻爪矯正具の使用状態の一例を示す図。
【図１０】第１，第２突出部を引っ掛け部に貼り付けた状態を示す図。
【発明を実施するための形態】
【００２６】
以下、本発明の巻爪矯正具を具体化した一実施形態について、図面を参照しつつ説明する。本実施形態の巻爪矯正具は、矯正具本体と、この本体を爪先端部に固定するためのシールとからなる。
【００２７】
まず、図１〜図６を用いて、矯正具本体１０について説明する。
【００２８】
矯正具本体１０は、爪の表面に当接する長尺板状の繋ぎ部２０と、一対の引っ掛け部３０とを備えている。各引っ掛け部３０と繋ぎ部２０とは、合成樹脂により一体成形されている。合成樹脂は、板バネ等に用いられる弾力性の高いものであり、例えば、ポリアセタール系のジュラコン樹脂を用いることができる。
【００２９】
繋ぎ部２０は、長尺状の中央板部２１と、端板部２２とからなる。端板部２２は、中央板部２１の長手方向における両端のそれぞれに設けられている。本実施形態において、繋ぎ部２０は、弧状をなしている。繋ぎ部２０は、その角のＲ部を除き、長さ方向において幅寸法が同一寸法とされている。繋ぎ部２０の一対の面のうち、一方の面は平坦面とされている。
【００３０】
引っ掛け部３０は、接続部３１と、爪係止部３２とからなる。接続部３１は、端板部２２の爪先端側から端板部２２の板面と直交する方向に延びている。爪係止部３２は、接続部３１の下端から爪基端側へ延び、端板部２２と所定間隔をおいて対向している。これにより、引っ掛け部３０はＬ字状とされている。
【００３１】
接続部３１は、端板部２２に直接隣り合って設けられている。詳しくは、図４に示すように、端板部２２（繋ぎ部２０）の幅方向寸法をＡとし、接続部３１の厚さ寸法をＢとし、接続部３１の爪先端側の縁から繋ぎ部２０の爪基端側の縁までの寸法をＣとする場合、「Ａ＋Ｂ＝Ｃ」である。中央板部２１の爪先端側の縁は、図４〜図６に示すように、爪先端側に凸となる弧状になっている。
【００３２】
接続部３１のうち爪基端側の面は、爪の先端縁が当接する縁当接面３１ａとなっている。縁当接面３１ａは、弧状になっている。これにより、縁当接面３１ａを爪の先端縁に沿った面にすることができる。また、図４に示すように、矯正具本体１０を繋ぎ部２０の平坦面側から見た場合、接続部３１において爪基端側の弧状の輪郭と、中央板部２１において爪先端側の弧状の輪郭とが連続している。接続部３１のうち爪先端側の面は、縁当接面３１ａに沿うような弧状とされている。
【００３３】
図５に示すように、一対の爪係止部３２は、爪幅方向において中央寄りの爪基端側へ延びている。一対の爪係止部３２は、爪幅方向における互いの離間距離Ｌが爪基端側ほど小さくなっている。爪係止部３２のうち爪の先端部が引っ掛けられる引っ掛け面３２ａの幅寸法Ｄは、爪係止部３２の爪基端側ほど大きくなっている。これは、爪係止部３２を爪先端部にしっかりと引っ掛けるための構成である。
【００３４】
図１及び図２に示すように、引っ掛け部３０及び端板部２２の板厚は、中央板部２１の板厚よりも大きく形成されている。中央板部２１及び端板部２２それぞれにおける爪の表面に当接する面は、段差なく繋がっている。これにより、繋ぎ部２０の爪当接面を爪の表面に沿ったものとすることができる。
【００３５】
続いて、図７〜図１０を用いて、シール５０及び矯正具本体１０の取り付け方法について説明する。以降、繋ぎ部２０の一対の面のうち、爪係止部３２側の面とは反対側の平坦面を被貼付面２０ａとする。本実施形態では、シール５０として、透明又は透明に近いものが用いられている。このため、図８では、シール５０の奥側にある矯正具本体１０を実線で示している。
【００３６】
シール５０は、シート状のものである。シール５０の一対の面のうち、一方の面は粘着層を有する粘着面となっており、他方の面は粘着層を有さない非粘着面となっている。シール５０は、矩形状の基材シート４０に貼り付けられている。
【００３７】
シール５０は、ベース部５１、第１突出部５２及び第２突出部５３を備えている。第１突出部５２は、ベース部５１のうち繋ぎ部２０の長さ方向において端板部２２に対応する部分から接続部３１側に向かってベース部５１に対してはみ出している。本実施形態において、第１突出部５２は、各接続部３１に対応して一対設けられている。第２突出部５３は、ベース部５１のうち繋ぎ部２０の長さ方向において端板部２２に対応する部分から、繋ぎ部２０の長さ方向の外側に向かってベース部５１に対してはみ出している。
【００３８】
基材シート４０には、繋ぎ部２０の被貼付面２０ａに対応した大きさの孔４１が形成されている。ベース部５１の粘着面のうち孔４１によって露出している部分には、接続部３１を第１突出部５２側に向けた状態で、繋ぎ部２０の被貼付面２０ａが貼り付けられている。これにより、矯正具本体１０がシール５０と一体化されている。
【００３９】
シール５０は、爪貼付部５４を備えている。爪貼付部５４は、ベース部５１に対して第１突出部５２が突出する方向とは反対方向（爪基端側）に向かってベース部５１から延びている。爪貼付部５４は、シール５０のうち基材シート４０からはみ出した部分である。爪貼付部５４の粘着面には、その粘着面を覆うように剥離シート４２が貼り付けられている。
【００４０】
本実施形態では、第１突出部５２の爪先端側の端部と、第２突出部５３の爪幅方向の端部とが分離部により分離している。詳しくは、第１突出部５２の爪先端側の端部と、第２突出部５３の爪幅方向の端部とが、分離部としての切欠きにより分離している。
【００４１】
なお、図７には、８つのシール５０が基材シート４０に貼り付けられている例を示したが、基材シート４０に貼り付けられるシール５０の数はこれに限らない。
【００４２】
続いて、矯正具本体１０の取り付け方法について説明する。本実施形態では、図９に示すように、足の親指の爪先端部に矯正具本体１０を取り付ける例について説明する。
【００４３】
まず、ユーザは、シール５０のうち基材シート４０からはみ出た部分である剥離シート４２の部分をつまんでシール５０を基材シート４０から剥がす。その後、ユーザは、剥離シート４２の部分をつまんだ状態で爪係止部３２を爪１００の先端部に引っ掛ける。剥離シート４２の部分があることにより、矯正具本体１０を爪１００の先端部に引っ掛けやすくできる。
【００４４】
爪係止部３２が爪１００の先端部に引っ掛けられた状態において、ユーザは、第１突出部５２を爪１００の先端側へ折り込む。これにより、図１０に示すように、第１突出部５２が接続部３１の爪先端側の端部に貼り付けられる。また、ユーザは、第２突出部５３を爪１００の幅方向側へ折り込む。これにより、第２突出部５３が引っ掛け部３０の爪幅方向外側の端部に貼り付けられる。
【００４５】
ユーザは、爪貼付部５４から剥離シート４２を剥がした後、爪貼付部５４を爪１００の表面に貼り付ける。これにより、矯正具本体１０を爪１００に固定することができる。
【００４６】
以上説明した本実施形態によれば、以下の効果が得られる。
【００４７】
繋ぎ部２０を構成する中央板部２１の板厚よりも、引っ掛け部３０の板厚が大きく形成されている。これにより、引っ掛け部３０を変形しにくい構成としながらも、引っ掛け部３０と一体成形された中央板部２１の弾性を、爪の持ち上げ力が強くなりすぎない適切なものとすることができる。これにより、引っ掛け部３０と繋ぎ部２０とが一体成形された簡単な構成であるにもかかわらず、爪の持ち上げ力を好適なものにすることができる。
【００４８】
また、中央板部２１が撓みにくくなることを防止できるため、矯正具本体１０を爪に取り付ける場合に、爪の表面に沿って繋ぎ部２０を曲げやすくできる。これにより、矯正具本体１０の爪への取り付けを容易にできる。
【００４９】
端板部２２の爪先端側から下方に接続部３１が延びている。このため、接続部３１を変形しにくくすることができ、爪の持ち上げ力の低下を抑制することができる。また、接続部３１が繋ぎ部２０に隣り合っているため、矯正具本体１０が爪に取り付けられた状態において、接続部３１よりも爪の基端側の方に繋ぎ部２０を位置させることができる。これにより、矯正具本体１０が爪に取り付けられた状態において、繋ぎ部２０が爪の先端縁からはみ出しにくくなり、繋ぎ部２０の爪先端側を爪の表面から浮きにくくすることができる。その結果、繋ぎ部２０を爪の表面にしっかりと当接させることができ、引っ掛け部３０による爪の持ち上げ力の低下を抑制することができる。
【００５０】
中央板部２１の爪先端側の縁が爪先端側に凸となる弧状とされている。このため、中央板部２１の爪先端側を爪の表面から浮きにくくしつつ、中央板部２１の爪先端側の縁を、爪の先端縁の輪郭に近づけることができる。このため、例えば、矯正具本体１０をシール５０で爪に固定する場合において、中央板部２１の爪先端側の端部にシール５０をしっかりと貼り付けることができる。
【００５１】
爪の先端側ほど、爪は撓みやすい。ここで、中央板部２１の爪先端側の縁が爪先端側に凸となる弧状とされていることにより、撓みやすい爪の先端側に中央板部２１を当接させることができる。これにより、爪の幅方向中央部を下方へ撓ませ、爪の幅方向両端部を上方へ撓ませることができる。その結果、爪先端部を平坦にするような力を爪先端部に作用させることができ、巻爪の矯正効果を高めることができる。
【００５２】
接続部３１のうち爪先端側の面が、縁当接面３１ａに沿うような弧状とされている。これにより、例えば矯正具本体１０を足の爪先端部に取り付けて靴を履いた場合において、接続部３１と靴とが干渉しにくくなる。
【００５３】
上述した態様で靴と干渉しにくくなると、巻爪を矯正する向きが適正な向きから大きくずれたり、爪先端部が引っ掛け部３０から外れたりすることを防止できる。その結果、巻爪の矯正効果が低下することを防止できる。
【００５４】
一対の爪係止部３２は、爪幅方向において中央寄りの爪基端側へ延びている。これにより、爪係止部３２を、爪先端部の両端に合う形状とすることができる。また、繋ぎ部２０が爪先端側に凸となる弧状とされていることにより、爪幅方向において中央寄りの爪基端側へ各爪係止部３２が延びる構成を適正に実現することができる。その結果、爪の先端部に爪係止部３２をしっかりと引っ掛けることができ、矯正具本体１０による巻爪の矯正効果を高めることができる。
【００５５】
端板部２２の板厚が中央板部２１の板厚よりも大きく形成されている。このため、端板部２２と接続部３１との連結部分を強固にすることができ、接続部３１を変形しにくくすることができる。これにより、引っ掛け部３０による爪の持ち上げ力の低下を抑制することができる。
【００５６】
中央板部２１及び端板部２２それぞれにおける爪の表面に当接する面が段差なく繋がっている。このため、繋ぎ部２０の爪の表面に当接する面を爪の表面に近い形状にすることができ、繋ぎ部２０を爪の表面に安定して当接させることができる。
【００５７】
シール５０において、第１突出部５２の爪先端側の端部と、第２突出部５３の爪幅方向の端部とが切欠きにより分離している。このため、第１，第２突出部５２，５３が折り込まれる場合において、第１，第２突出部５２，５３が重なりにくくなる。これにより、矯正具本体１０が取り付けられた指の隣りの指に、第１，第２突出部５２，５３の重なり部分が干渉しにくくなり、矯正具本体１０をシール５０で爪に固定した場合に違和感が発生することを抑制できる。
【００５８】
シール５０が透明又は透明に近い素材で形成されている。このため、矯正具本体１０を爪の先端部に引っ掛ける場合において、矯正具本体１０の位置が視認しやすくなる。その結果、矯正具本体１０の爪先端部への取り付けをより容易に行うことができる。
【００５９】
なお、上記実施形態は、以下のように変更して実施してもよい。
【００６０】
・第１突出部５２の爪先端側の端部と、第２突出部５３の爪幅方向の端部とが、切欠きではなく、例えば切り込みにより分離していてもよい。
【００６１】
・接続部が延びる方向は、繋ぎ部２０の平坦面に対して傾斜していれば、直交する方向に限らない。
【００６２】
・中央板部は、弧状に限らず、直線状に延びていてもよい。
【００６３】
・端板部の板厚が、中央板部の板厚と同じ板厚とされていてもよい。
【００６４】
・繋ぎ部２０の爪幅方向の両端部それぞれに、引っ掛け部３０が複数設けられていてもよい。
【００６５】
・シールが不透明な素材で形成されていてもよい。
【符号の説明】
【００６６】
１０…矯正具本体、２０…繋ぎ部、２１…中央板部、２２…端板部、３０…引っ掛け部、３１…接続部、３２…爪係止部、５０…シール。
【図１】
2020054595.tif 000003
【図２】
2020054595.tif 000004
【図３】
2020054595.tif 000005
【図４】
2020054595.tif 000006
【図５】
2020054595.tif 000007
【図６】
2020054595.tif 000008
【図７】
2020054595.tif 000009
【図８】
2020054595.tif 000010
【図９】
2020054595.tif 000011
【図１０】
2020054595.tif 000012